(57)【特許請求の範囲】
【請求項１】
紙葉類の搬送路に臨む態様で配設され、かつ自身の軸心回りに一方向に回転する場合には、前記搬送路を搬送される紙葉類を該搬送路から分離させて所定の収納部に紙葉類を収納させる一方、前記軸心回りに他方向に回転する場合には、前記収納部より送出された紙葉類を前記搬送路に繰り出させる第１繰出分離ローラと、
前記第１繰出分離ローラの外周面に自身の外周面が接する態様で配設され、かつ前記第１繰出分離ローラが前記一方向に回転する場合には該第１繰出分離ローラの回転に応じて他方向に回転する一方、前記第１繰出分離ローラが前記他方向に回転する場合には回転を停止する第２繰出分離ローラと、
前記第２繰出分離ローラを挟むようにして互いに左右に分離した状態で配設され、かつそれぞれの外周面に径外方向に向けて延在する態様で複数の羽根が放射状に形成されるとともにそれぞれが軸心回りに回転可能な左右一対の羽根車と
を備えた紙葉類収納繰出装置において、
前記左右一対の羽根車の一方の羽根車と共通の軸心回りに該一方の羽根車と一体的に回転可能な第１タイミングプーリと、
前記第１タイミングプーリと、該第１タイミングプーリから離隔する位置に配設された第１プーリとの間で張設され、かつ前記搬送路で紙葉類を搬送する搬送ベルトに一部が噛合して前記搬送路での紙葉類を搬送する機能を有する無端状の第１羽根車ベルトと、
前記左右一対の羽根車の他方の羽根車と共通の軸心回りに該他方の羽根車と一体的に回転可能な第２タイミングプーリと、
前記第２タイミングプーリと、該第２タイミングプーリから離隔する位置に配設された第２プーリとの間で張設され、かつ前記搬送路で紙葉類を搬送する搬送ベルトに一部が噛合して前記搬送路での紙葉類を搬送する機能を有する無端状の第２羽根車ベルトと
を備えたことを特徴とする紙葉類収納繰出装置。
【請求項２】
前記第１プーリ及び前記第２プーリは、互いに共通のプーリ軸の中心軸回りに回転可能に配設されていることを特徴とする請求項１に記載の紙葉類収納繰出装置。
【請求項３】
前記第１羽根車ベルト及び前記第２羽根車ベルトは、前記搬送ベルトから与えられる動力により変位して前記第１タイミングプーリ及び前記第２タイミングプーリを回転させることを特徴とする請求項１又は請求項２に記載の紙葉類収納繰出装置。
【請求項４】
前記プーリ軸は、駆動モータから与えられる動力により中心軸回りに回転することを特徴とする請求項２に記載の紙葉類収納繰出装置。
【発明の詳細な説明】
【技術分野】
【０００１】
本発明は、紙葉類収納繰出装置に関し、より詳細には、例えば釣銭機等の紙幣取扱装置に適用される紙葉類収納繰出装置に関するものである。
【背景技術】
【０００２】
従来、例えば釣銭機等の紙幣取扱装置においては、投入排出口より投入された紙幣（紙葉類）の真偽を鑑別手段にて鑑別し、「真」と鑑別された紙幣を所定の搬送路に搬送させるようにしている。この紙幣取扱装置においては、搬送路を臨むよう複数の紙葉類収納繰出装置が設けられている。これら紙葉類収納繰出装置は、搬送路を搬送される紙幣のうち、自身に割り付けられた紙幣を該搬送路から分離させて所定の収納部に収納するものである。また紙葉類収納繰出装置は、繰出指令が与えられた場合には、収納部から送出された紙幣を搬送路に繰り出すものであり、これにより紙幣を投入排出口より排出させることができる（例えば特許文献１参照）。
【先行技術文献】
【特許文献】
【０００３】
【特許文献１】特開２００３−１６８１４８号公報
【発明の概要】
【発明が解決しようとする課題】
【０００４】
ところで、上述した特許文献１には明示されていないが、紙幣取扱装置に適用される紙葉類収納繰出装置には、搬送路を搬送される紙幣を分離させて収納部に収納させる一方、収納部から送出された紙幣を搬送路に繰り出させる一対の分離繰出ローラの他に、羽根車が設けられているのが一般的である。
【０００５】
羽根車は、自身の軸心回りに回転可能に配設されており、外周面に径外方向に向けて延在する態様で複数の羽根が放射状に形成されている。かかる羽根車は、一対の分離繰出ローラが搬送路を搬送される紙幣を分離させて収納部に収納させる際に、一方向に回転して羽根が該紙幣の後端部を押圧して一方側に寄せるものである。これにより、該紙幣の次に搬送路から分離される紙幣の前端部が該紙幣の後端部に当接することを抑制できる。また、羽根車は、一対の分離繰出ローラが収納部から送出された紙幣を搬送路に繰り出させる際には、他方向に回転して羽根が紙幣を押圧することで、該分離繰出ローラを構成する一方の構成要素に該紙幣を押しつけるようにするものである。
【０００６】
このような羽根車は、その機能上、一対の分離繰出ローラの近傍に配設されるものであるが、該分離繰出ローラにより互いに左右に分離した状態で配設されることになる。そして、収納部に紙幣を収納する場合や収納部から紙幣を繰り出す場合に紙幣に外乱を与えないために、羽根車の回転を同期させる必要がある。
【０００７】
そこで、従来においては、羽根車の回転を同期させるために複数のギアを連係させることで行われていた。
【０００８】
しかしながら、このように複数のギアを連係させて羽根車の回転を同期させることは、紙幣の搬送路の幅方向の外部にてギアを連係させる必要があり、部品点数の増大に伴う製造コストの増大化だけでなく、装置全体の大型化を招来していた。
【０００９】
本発明は、上記実情に鑑みて、製造コストの増大化及び装置全体の大型化を抑制しつつ、羽根車の回転を同期させることができる紙葉類収納繰出装置を提供することを目的とする。
【課題を解決するための手段】
【００１０】
上記目的を達成するために、本発明に係る紙葉類収納繰出装置は、紙葉類の搬送路に臨む態様で配設され、かつ自身の軸心回りに一方向に回転する場合には、前記搬送路を搬送される紙葉類を該搬送路から分離させて所定の収納部に紙葉類を収納させる一方、前記軸心回りに他方向に回転する場合には、前記収納部より送出された紙葉類を前記搬送路に繰り出させる第１繰出分離ローラと、前記第１繰出分離ローラの外周面に自身の外周面が接する態様で配設され、かつ前記第１繰出分離ローラが前記一方向に回転する場合には該第１繰出分離ローラの回転に応じて他方向に回転する一方、前記第１繰出分離ローラが前記他方向に回転する場合には回転を停止する第２繰出分離ローラと、前記第２繰出分離ローラを挟むようにして互いに左右に分離した状態で配設され、かつそれぞれの外周面に径外方向に向けて延在する態様で複数の羽根が放射状に形成されるとともにそれぞれが軸心回りに回転可能な左右一対の羽根車とを備えた紙葉類収納繰出装置において、前記左右一対の羽根車の一方の羽根車と共通の軸心回りに該一方の羽根車と一体的に回転可能な第１タイミングプーリと、前記第１タイミングプーリと、該第１タイミングプーリから離隔する位置に配設された第１プーリとの間で張設され、かつ前記搬送路で紙葉類を搬送する搬送ベルトに一部が噛合して前記搬送路での紙葉類を搬送する機能を有する無端状の第１羽根車ベルトと、前記左右一対の羽根車の他方の羽根車と共通の軸心回りに該他方の羽根車と一体的に回転可能な第２タイミングプーリと、前記第２タイミングプーリと、該第２タイミングプーリから離隔する位置に配設された第２プーリとの間で張設され、かつ前記搬送路で紙葉類を搬送する搬送ベルトに一部が噛合して前記搬送路での紙葉類を搬送する機能を有する無端状の第２羽根車ベルトとを備えたことを特徴とする。
【００１１】
また本発明は、上記紙葉類収納繰出装置において、前記第１プーリ及び前記第２プーリは、互いに共通のプーリ軸の中心軸回りに回転可能に配設されていることを特徴とする。
【００１２】
また本発明は、上記紙葉類収納繰出装置において、前記第１羽根車ベルト及び前記第２羽根車ベルトは、前記搬送ベルトから与えられる動力により変位して前記第１タイミングプーリ及び前記第２タイミングプーリを回転させることを特徴とする。
【００１３】
また本発明は、上記紙葉類収納繰出装置において、前記プーリ軸は、駆動モータから与えられる動力により中心軸回りに回転することを特徴とする。
【発明の効果】
【００１４】
本発明によれば、第１羽根車ベルト及び第２羽根車ベルトが、搬送ベルトに一部が噛合して互いに同期して変位することで、第１タイミングプーリ及び第２タイミングプーリを介して一方の羽根車及び他方の羽根車を互いに同期させて回転させることができる。しかも、従来のように複数のギアを連係させて羽根車同士の回転を同期させるわけではないので、製造コストの増大させる虞れがない。また、第１タイミングベルト及び第２タイミングベルトは、搬送ベルトに噛合可能な領域に位置しているので、搬送路の幅方向の外部のスペースを大型化させる必要がなく、装置全体を大型化させる虞れがない。従って、製造コストの増大化及び装置全体の大型化を抑制しつつ、羽根車の回転を同期させることができるという効果を奏する。
【図面の簡単な説明】
【００１５】
【図１】図１は、本発明の実施の形態である紙葉類収納繰出装置が適用された紙幣取扱装置の一部の図示を省略した斜視図である。
【図２】図２は、本発明の実施の形態である紙葉類収納繰出装置が適用された紙幣取扱装置の要部を右方から見た場合を示し説明図である。
【図３】図３は、本発明の実施の形態である紙葉類収納繰出装置が適用された紙幣取扱装置の要部を左方から見た場合を示す説明図である。
【図４】図４は、本発明の実施の形態である紙葉類収納繰出装置が適用された紙幣取扱装置の要部を上方から見た場合を示す説明図である。
【図５】図５は、図１に示した紙幣取扱装置のカバー体を開移動させた状態を示す斜視図である。
【図６】図６は、本発明の実施の形態である紙葉類収納繰出装置が適用された紙幣取扱装置の要部を右方から見た場合を示し説明図である。
【図７】図７は、本発明の実施の形態である紙葉類収納繰出装置が適用された紙幣取扱装置の要部を右方から見た場合を示し説明図である。
【図８】図８は、本発明の実施の形態である紙葉類収納繰出装置の変形例が適用された紙幣取扱装置を示す斜視図である。
【発明を実施するための形態】
【００１６】
以下に添付図面を参照して、本発明に係る紙葉類収納繰出装置の好適な実施の形態について詳細に説明する。
【００１７】
図１〜図４は、それぞれ本発明の実施の形態である紙葉類収納繰出装置が適用された紙幣取扱装置を示すものであり、図１は、一部の図示を省略した斜視図であり、図２は、要部を右方から見た場合を示し説明図であり、図３は、要部を左方から見た場合を示す説明図であり、図４は、要部を上方から見た場合を示す説明図である。ここで例示する紙幣取扱装置は、例えば釣銭機であり、左右一対の搬送ベルト１０及び紙葉類収納繰出装置２０を備えて構成されている。
【００１８】
左右一対の搬送ベルト１０のうち右側の搬送ベルト１０ａは、前後一対となる態様で設けられた右側前方搬送プーリ１１ａと、右側後方搬送プーリ１２ａとに張設されている。また左側の搬送ベルト１０ｂは、前後一対となる態様で設けられた左側前方搬送プーリ１１ｂと、左側後方搬送プーリ１２ｂとに張設されている。尚、図２〜図４中の符号１３は、搬送ローラである。
【００１９】
ここで、右側前方搬送プーリ１１ａと左側前方搬送プーリ１１ｂとは、左右方向に沿って延在する共通の前方搬送プーリ軸１４の中心軸回りに互いに一体的に回転可能なものである。右側後方搬送プーリ１２ａと左側後方搬送プーリ１２ｂとは、左右方向に沿って延在する共通の後方搬送プーリ軸１５の中心軸回りに互いに一体的に回転可能なものである。後方搬送プーリ軸１５は、搬送タイミングベルト１６を介して搬送モータ１７に連係されている。搬送モータ１７は、搬送ベルト１０を変位させるための駆動源であり、図示せぬ制御手段からの指令に応じて正回転駆動若しくは逆回転駆動するものである。
【００２０】
従って、上記搬送ベルト１０においては、搬送モータ１７が正回転駆動する場合には、後方搬送プーリ軸１５が右方側から見た場合に反時計回りに回転し、左右一対の搬送ベルト１０における前後方向に延在する部位のうち下方側の部位（以下、搬送部位ともいう）１８が前方から後方に向けて変位するものである。一方、搬送モータ１７が逆回転駆動する場合には、後方搬送プーリ軸１５が右方側から見た場合に時計回りに回転し、搬送部位１８が後方から前方に向けて変位するものである。
【００２１】
このような左右一対の搬送ベルト１０は、紙幣取扱装置の装置本体１の上面開口を開閉するカバー体２に設けられており、図５に示すように、それぞれの搬送部位１８がカバー体２の下面より露出している。そして、搬送ベルト１０は、カバー体２が装置本体１の上面開口を閉塞する場合に、搬送部位１８により搬送路３を構成している。搬送路３は、紙幣取扱装置の前端部に設けられた投入排出口４より投入され、かつ図示せぬ鑑別部にて「真」と鑑別された紙幣（紙葉類）を搬送する路であるとともに、紙葉類収納繰出装置２０から繰り出された紙幣を投入排出口４に搬送して該投入排出口４より排出させるための路である。
【００２２】
紙葉類収納繰出装置２０は、複数設けられており、予め割り付けられた紙幣を収納部２１に収納するとともに、該収納部２１に収納された紙幣を繰り出すものである。以下においては、後方から２番目の紙葉類収納繰出装置２０を代表例として説明する。この紙葉類収納繰出装置２０は、繰出分離ローラユニット３０、羽根車ユニット４０及びタイミングユニット５０を備えて構成されている。
【００２３】
繰出分離ローラユニット３０は、第１繰出分離ローラ３１と第２繰出分離ローラ３２とを有している。第１繰出分離ローラ３１は、搬送路３を臨む態様で配設された左右一対のものであり、左右方向に沿って延在する繰出分離ローラ軸３３の中心軸回りに回転可能なものである。この第１繰出分離ローラ３１軸は、繰出分離ベルト３４を介してキック分離ローラ３５に連係されている。キック分離ローラ３５は、第１繰出分離ローラ３１の下方域に配設されており、左右方向に沿って延在するキック分離ローラ軸３６の中心軸回りに回転するものである。このキック分離ローラ軸３６は、伝達ベルト３７を介して繰出分離モータ３８に連係されている。繰出分離モータ３８は、第１繰出分離ローラ３１を回転させるための駆動源であり、制御手段からの指令に応じて正回転駆動若しくは逆回転駆動するものである。
【００２４】
ここで、キック分離ローラ３５は、繰出分離モータ３８が正回転駆動する場合には、右方側から見た場合に反時計回りに回転するものであり、キック分離ローラ３５が反時計回りに回転することで第１繰出分離ローラ３１も右方側から見た場合に反時計回りに回転（一方向に回転）するものである。つまり、第１繰出分離ローラ３１は、繰出分離モータ３８が正回転駆動する場合には、右方側から見た場合に反時計回りに回転するものである。
【００２５】
また、キック分離ローラ３５は、繰出分離モータ３８が逆回転駆動する場合には、右方側から見た場合に時計回りに回転するものであり、キック分離ローラ３５が時計回りに回転することで第１繰出分離ローラ３１も右方側から見た場合に時計回りに回転（他方向に回転）するものである。つまり、第１繰出分離ローラ３１は、繰出分離モータ３８が逆回転駆動する場合には、右方側から見た場合に時計回りに回転するものである。
【００２６】
第２繰出分離ローラ３２は、第１繰出分離ローラ３１と同様に搬送路３を臨み、かつ第１繰出分離ローラ３１の前方域に配設された左右一対のものである。これら第２繰出分離ローラ３２は、左右方向に沿って延在する第２繰出分離ローラ軸３９に図示せぬクラッチ機構を介して連係されており、該第２繰出分離ローラ軸３９の中心軸回りに回転可能なものである。クラッチ機構は、第２繰出分離ローラ３２が右方側から見た場合に時計回りに回転（他方向に回転）することを許容する一方、反時計回りに回転することを規制するワンウェイクラッチである。
【００２７】
このような第２繰出分離ローラ３２は、それぞれの外周面の一部が対応する第１繰出分離ローラ３１の外周面に接している。
【００２８】
従って、第２繰出分離ローラ３２は、第１繰出分離ローラ３１が右方側から見て反時計回りに回転する場合には、該第１繰出分離ローラ３１の回転に従って右方側から見て時計回りに従動回転する一方、第１繰出分離ローラ３１が右方側から見て時計回りに回転する場合には、クラッチ機構により回転を停止するものである。
【００２９】
羽根車ユニット４０は、右側羽根車４１及び左側羽根車４６を有している。右側羽根車４１は、搬送路３を臨む態様で第２繰出分離ローラ３２の右方側に配設された左右一対のものである。この右側羽根車４１は、左右方向に沿って延在する右側羽根車軸４２の中心軸回りに回転可能な円柱状の右側羽根車基部４１１の外周面に径外方向に向けて延在する複数の可撓性材料からなる羽根４１２が放射状に形成されて構成されるものである。
【００３０】
左側羽根車４６は、搬送路３を臨む態様で第２繰出分離ローラ３２の左方側に配設された左右一対のものである。この左側羽根車４６は、左右方向に沿って延在する左側羽根車軸４７の中心軸回りに回転可能な円柱状の左側羽根車基部４６１の外周面に径外方向に向けて延在する複数の可撓性材料からなる羽根４６２が放射状に形成されて構成されるものである。
【００３１】
タイミングユニット５０は、右側タイミングユニット５０ａ及び左側タイミングユニット５０ｂを備えて構成されている。右側タイミングユニット５０ａは、右側タイミングプーリ（第１タイミングプーリ）５１ａ及び右側タイミングベルト（第１羽根車ベルト）５２ａを有している。
【００３２】
右側タイミングプーリ５１ａは、右側羽根車軸４２の左端部、より詳細には、右側羽根車軸４２において右側の搬送ベルト１０ａの直下域となる個所に取り付けられており、右側羽根車軸４２の中心軸回りに右側羽根車４１と一体的に回転可能なものである。この右側タイミングプーリ５１ａは、外周面の一部が右側の搬送ベルト１０ａに接する程度の大きさの径を有している。
【００３３】
右側タイミングベルト５２ａは、右側タイミングプーリ５１ａと、この右側タイミングプーリ５１ａの前方側に離隔する位置に設けられた右側基準プーリ（第１基準プーリ）５３ａとの間で張設されるものである。この右側基準プーリ５３ａは、左右方向に沿って延在する基準プーリ軸（基準軸）５４の中心軸回りに回転可能なものであり、外周面の一部が右側の搬送ベルト１０ａに接する程度の大きさの径を有している。これにより、右側タイミングベルト５２ａのうち前後方向に延在する部位のうち上方側の部位は右側の搬送ベルト１０ａの搬送部位１８に接して互いに噛合しており、該搬送ベルト１０とともに搬送路３で紙幣を搬送する機能を有している。
【００３４】
左側タイミングユニット５０ｂは、左側タイミングプーリ（第２タイミングプーリ）５１ｂ及び左側タイミングベルト（第２羽根車ベルト）５２ｂを有している。
【００３５】
左側タイミングプーリ５１ｂは、左側羽根車軸４７の右端部、より詳細には、左側羽根車軸４７において左側の搬送ベルト１０ｂの直下域となる個所に取り付けられており、左側羽根車軸４７の中心軸回りに左側羽根車４６と一体的に回転可能なものである。この左側タイミングプーリ５１ｂは、外周面の一部が左側の搬送ベルト１０ｂに接する程度の大きさの径を有している。
【００３６】
左側タイミングベルト５２ｂは、左側タイミングプーリ５１ｂと、この左側タイミングプーリ５１ｂの前方側に離隔する位置に設けられた左側基準プーリ（第２基準プーリ）５３ｂとの間で張設されるものである。この左側基準プーリ５３ｂは、上記基準プーリ軸５４の中心軸回りに回転可能なものである。つまり、右側基準プーリ５３ａ及び左側基準プーリ５３ｂは、互いに共通の基準プーリ軸５４の中心軸回りに回転可能に配設されている。そして、左側基準プーリ５３ｂは、外周面の一部が左側の搬送ベルト１０ｂに接する程度の大きさの径を有している。これにより、左側タイミングベルト５２ｂのうち前後方向に延在する部位のうち上方側の部位は左側の搬送ベルト１０ｂの搬送部位１８に接して互いに噛合しており、該搬送ベルト１０とともに搬送路３で紙幣を搬送する機能を有している。
【００３７】
以上のような構成を有する紙葉類収納繰出装置２０は、搬送モータ１７及び繰出分離モータ３８が正回転駆動する場合に次のように動作する。
【００３８】
搬送モータ１７が正回転駆動することで、図６に示すように、後方搬送プーリ軸１５が右方側から見て反時計回りに回転し、これにより左右一対の搬送ベルト１０は、搬送部位１８は前方から後方に向けて変位するよう右方側から見て反時計回りの方向に変位する。これにより投入排出口４より投入された紙幣は、搬送路３を前方から後方に向けて搬送される。
【００３９】
このように搬送部位１８が前方から後方に変位することで一部が該搬送部位１８に噛合する右側タイミングベルト５２ａ及び左側タイミングベルト５２ｂは、右方側から見て時計回りの方向に変位する。この場合、左右一対の搬送ベルト１０は、互いに共通する後方側搬送プーリ軸１５の回転により互いに同期して変位しており、これにより右側タイミングベルト５２ａ及び左側タイミングベルト５２ｂも互いに同期して変位している。
【００４０】
右側タイミングベルト５２ａ及び左側タイミングベルト５２ｂが変位することで、右側タイミングプーリ５１ａ及び左側タイミングプーリ５１ｂが、互いに同期して右方側から見て時計回りに回転する結果、右側羽根車４１及び左側羽根車４６も互いに同期して右方側から見て時計回りに回転する。
【００４１】
一方、繰出分離モータ３８が正回転駆動することで、第１繰出分離ローラ３１は、キック分離ローラ３５を介して右方側から見て反時計回りに回転し、これにより第２繰出分離ローラ３２が右方側から見て時計回りに従動回転する。
【００４２】
この結果、搬送路３を搬送される紙幣は、第１繰出分離ローラ３１及び第２繰出分離ローラ３２に挟み込まれて搬送路３から分離され、下方に向けて搬送されることで収納部２１に収納される。この場合に、互いに同期して右方側から見て時計回りに回転する右側羽根車４１及び左側羽根車４６は、収納部２１に搬送される紙幣の搬送方向後端部（上端部）を羽根４１２，４６２が前方に向けて押圧して前方側に寄せることで、次に搬送路３を搬送されて該収納部２１に収納される紙幣の搬送方向前端部（下端部）が先に収納された紙幣の搬送方向後端部に当接することを抑制できる。
【００４３】
次に、搬送モータ１７及び繰出分離モータ３８が逆回転駆動する場合には、紙葉類収納繰出装置２０は次のように動作する。
【００４４】
搬送モータ１７が逆回転駆動することで、図７に示すように、後方搬送プーリ軸１５が右方側から見て時計回りに回転し、これにより左右一対の搬送ベルト１０は、搬送部位１８は後方から前方に向けて変位するよう右方側から見て時計回りの方向に変位する。
【００４５】
このように搬送部位１８が後方から前方に変位することで一部が該搬送部位１８に噛合する右側タイミングベルト５２ａ及び左側タイミングベルト５２ｂは、右方側から見て反時計回りの方向に変位する。この場合、左右一対の搬送ベルト１０は、互いに共通する後方側搬送プーリ軸１５の回転により互いに同期して変位しており、これにより右側タイミングベルト５２ａ及び左側タイミングベルト５２ｂも互いに同期して変位している。
【００４６】
右側タイミングベルト５２ａ及び左側タイミングベルト５２ｂが変位することで、右側タイミングプーリ５１ａ及び左側タイミングプーリ５１ｂが、互いに同期して右方側から見て反時計回りに回転する結果、右側羽根車４１及び左側羽根車４６も互いに同期して右方側から見て時計回りに回転する。
【００４７】
一方、繰出分離モータ３８が逆回転駆動することで、第１繰出分離ローラ３１は、キック分離ローラ３５を介して右方側から見て時計回りに回転する。この場合、第２繰出分離ローラ３２は、クラッチ機構により回転を停止する。
【００４８】
この結果、収納部２１に収納された紙幣は、キック分離ローラ３５及び第１繰出分離ローラ３１によって、一枚ずつ上方に送出されて搬送路３に至り、該搬送路３を後方から前方に向けて搬送された後に、投入排出口４より外部に排出される。
【００４９】
以上説明したように、本実施の形態である紙葉類収納繰出装置２０においては、右側タイミングベルト５２ａ及び左側タイミングベルト５２ｂが、左右一対の搬送ベルト１０に一部が噛合して互いに同期して変位することで、右側タイミングプーリ５１ａ及び左側タイミングプーリ５１ｂを介して右側羽根車４１及び左側羽根車４６を互いに同期させて回転させることができる。しかも、従来のように複数のギアを連係させて羽根車同士の回転を同期させるわけではないので、製造コストの増大させる虞れがない。また、右側タイミングプーリ５１ａ及び右側タイミングベルト５２ａは右側の搬送ベルト１０ａの下方域に位置し、左側タイミングプーリ５１ｂ及び左側タイミングベルト５２ｂは左側の搬送ベルト１０ｂの下方域に位置しているので、搬送路３の幅方向の外部のスペースを大型化させる必要がなく、装置全体を大型化させる虞れがない。
【００５０】
従って、上記紙葉類収納繰出装置２０によれば、製造コストの増大化及び装置全体の大型化を抑制しつつ、羽根車４１，４６の回転を同期させることができる。
【００５１】
以上、本発明の好適な実施の形態について説明したが、本発明はこれに限定されるものではなく、種々の変更を行うことができる。
【００５２】
上述した実施の形態では、搬送モータ１７が駆動して搬送ベルト１０を変位させることで各タイミングベルト５２ａ，５２ｂを従動変位させ、これにより各羽根車４１，４６を互いに同期させて回転させていたが、本発明においては、基準プーリ軸５４を所定のモータにより回転させることで各タイミングベルトを変位させるようにし、これにより搬送ベルトを従動変位させても良い。この場合でも、各羽根車を互いに同期させて回転させることができ、上述した作用効果を奏することができる。
【００５３】
本発明においては、各羽根車４１，４６を回転自在に支持する各羽根車軸４２，４７や基準プーリ軸５４を紙幣取扱装置の装置本体１より着脱可能な部材５に支持させるようにしても良い。これによれば、図８に示すように、カバー体２を開移動させて紙幣取扱装置の装置本体１の上面開口を開放させた状態で該部材５の姿勢を変更することで、収納部２１の上方を開放させることができ、収納部２１に収納された紙幣を容易に取り出すことができる。
【符号の説明】
【００５４】
３  搬送路
１０  搬送ベルト
２０  紙葉類収納繰出装置
２１  収納部
３０  繰出分離ローラユニット
３１  第１繰出分離ローラ
３２  第２繰出分離ローラ
４０  羽根車ユニット
４１  右側羽根車
４６  左側羽根車
５０  タイミングユニット
５０ａ  右側タイミングユニット
５０ｂ  左側タイミングユニット
５１ａ  右側タイミングプーリ（第１タイミングプーリ）
５１ｂ  左側タイミングプーリ（第２タイミングプーリ）
５２ａ  右側タイミングベルト（第１羽根車ベルト）
５２ｂ  左側タイミングベルト（第２羽根車ベルト）
５３ａ  右側基準プーリ（第１基準プーリ）
５３ｂ  左側基準プーリ（第２基準プーリ）
【図１】
0006439380.tif 000002
【図２】
0006439380.tif 000003
【図３】
0006439380.tif 000004
【図４】
0006439380.tif 000005
【図５】
0006439380.tif 000006
【図６】
0006439380.tif 000007
【図７】
0006439380.tif 000008
【図８】
0006439380.tif 000009